(57)【特許請求の範囲】
【請求項１】
紳士服を展示・陳列するためのボディであって、
弾力性・屈曲性に富んだ硬質プラスチックシート或いは硬質の厚紙からなるボディ形成用パネル板を用いて、
該パネル板のほぼ中央部に頭部装着穴７を穿設し、該頭部装着穴７を中心にして左右ほぼ対称に連結部１１，１１を介して円弧状に区切られかつ外側が円弧状に切欠れている一対の肩部２，２とし、前記頭部装着穴７の前後側で一対の肩部２，２の円弧状の曲面のほぼ頂部から前後に屈曲させて前側を下方に向けてやや傾斜して形設される胸部３とし、該胸部３の反対側を下方に屈曲してやや傾斜して形設されている背面部４とし、この胸部３の下部に帯状で、該胸部３の下部から両側に延びる胴部５からなる形枠をボディ切込線６で一体に形成すると共に前記型枠の外輪郭線を形取って前記パネル板から抜き取ってボディ形枠を形成してなり、
かつ、該ボディ形枠の前記胴部５の両端部に前記背面部４側を屈曲させたとき固定する掛止片９と、前記胴部３下部に該掛止片９と対向配置に掛止穴１０，１０，１０を設けた差し込み係止型の固定具を配置すると共に、前記胸部３と前記背面部４の前記肩部２近傍には前記肩部２に対応する位置にホック８からなる固定具が形設されてなり、
前記頭部装着穴７を中心に肩部２を前後に屈曲して前記胸部と前記背面部が対向するように肩部、胸部、背面部、胴部を形設し、前記胴部５の前記掛止片９を前記背面部４側の掛止穴１０に係止させると共に、前記肩部２の一対の前記ホックと、前記胸部３と前記背面部４の前記ホツク８を固定させて前記パネル板の弾力性・屈曲性で前記各部を一体に形成することを特徴とする紳士服用ボディ。
【請求項２】
婦人服を展示・陳列するためのボディであって、
弾力性・屈曲性に富んだ硬質プラスチックシート或いは硬質の厚紙からなるボディ形成用パネル板を用いて、
該パネル板のほぼ中央部に頭部装着穴２７を穿設し、該頭部装着穴２７を中心にして左右ほぼ対称に連結部３０，３０を介して円弧状に区切られかつ外側に円弧状に切欠れ、連結部３４，３４を介して一段目肩部２２と二段目肩部３３から構成されている一対の肩部２２，２２とし、前記頭部装着穴２７の前後側で一対の肩部２２，２２の円弧状の曲面のほぼ頂部から前後に屈曲させて前側を下方に向けてやや傾斜して形設される胸部２３とし、該胸部２３の反対側を下方に屈曲してやや傾斜して形設されている背面部２４とし、この胸部２３の下部に二分割された胴部２５，２５からなる形枠をボディ切込線２６で一体に形成すると共に前記形枠の外輪郭線を形取って前記パネル板から抜き取ってボディ形枠を形成してなり、
該ボディ形枠の前記胴部２５の両端部に前記背面部２４側を屈曲させたとき固定するホツク３５と、前記胴部２３下部に背面部２４と対向配置にホック３５から構成される固定具を配置し、かつ前記胸部２３と前記背面部２４の前記肩部２２近傍には前記肩部２２に対応する位置にホック３５からなる固定具を配置すると共に、該ボディ形枠の前記背面部２４の肩部２２側に前記背面部２４側を屈曲させたとき固定する掛止片Ｊ１１１と、前記肩部２２の背面部２４側に該掛止片Ｊ１１１と対向配置に掛止穴Ｊ１１２を設けた差し込み係止型の固定具を配置てなり、
前記頭部装着穴２７を中心に肩部２２，２２を前後に屈曲して前記胸部２３と前記背面部２４が対向するように肩部、胸部、背面部、胴部を形設し、前記胴部５のホック３５を背面部２４側のホック３５に係止させると共に、肩部２２の一対のホック３５と、胸部２３と背面部２４のホツク３５と、掛止穴Ｊ１１２に該掛止片Ｊ１１１と係止して固定させ、前記パネル板の弾力性・屈曲性で前記各部を一体に形成することを特徴とする婦人服用ボディ。
【請求項３】
子供服を展示・陳列するためのボディであって、
弾力性・屈曲性に富んだ硬質プラスチックシート或いは硬質の厚紙からなるボディ形成用パネル板を用いて、
該パネル板のほぼ中央部に頭部装着穴７を穿設し、該頭部装着穴７を中心にして左右ほぼ対称に連結部１１，１１を介して円弧状に区切られかつ外側が円弧状に切欠れている一対の肩部２，２とし、前記頭部装着穴７の前後側で一対の肩部２，２の円弧状の曲面のほぼ頂部から前後に屈曲させて前側を下方に向けてやや傾斜して形設される胸部３とし、該胸部３の反対側を下方に屈曲してやや傾斜して形設されている背面部４とし、この胸部３の下部に帯状で、該胸部３の下部から両側に延びる胴部５からなる形枠をボディ切込線６で一体に形成すると共に前記形枠の外輪郭線を形取って前記パネル板から抜き取ってボディ形枠を形成してなり、
かつ、該ボディ形枠の前記胴部５の両端部に前記背面部４側を屈曲させたとき固定する掛止片Ｂ１，Ｄ１と、前記胴部３下部に該掛止片Ｂ１，Ｄ１と対向配置に掛止穴Ｂ２，Ｄ２を設けた差し込み係止型の固定具を配置すると共に、前記胸部３と前記背面部４の前記肩部２近傍には前記肩部２に対応する位置にホックＫ１，Ｋ２，Ｊ1，Ｊ２，Ｈ1，Ｈ２，Ｇ1，Ｇ２からなる固定具を形設してなり、
前記頭部装着穴７を中心に肩部２を前後に屈曲して前記胸部と前記背面部が対向するように肩部、胸部、背面部、胴部を形設し、前記胴部５の掛止片Ｂ１，Ｄ１を背面部４側の掛止穴Ｂ２，Ｄ２に係止させると共に、肩部２の一対のホックＫ１，Ｊ1，Ｈ1，Ｇ1と、胸部３と背面部４のホツクＫ２，Ｊ２，Ｈ２，Ｇ２を固定させて前記パネル板の弾力性・屈曲性で前記各部を一体に形成することを特徴とする子供服用ボディ。
【発明の詳細な説明】
【０００１】
【発明の属する技術分野】
本発明は、デパート、スーパーあるいは服飾店等にて、紳士服、婦人服或いは子供服等の被服を陳列するために用いるパネル板を組立てて形成したボディに関する。
【０００２】
【従来の技術】
ボディは、洋服をメインとするヨーロッバ諸国では、縫製時の人体の型取りとして古くから使用されている。
【０００３】
従来のボディは、大別するとメンズボディ、レディースボディあるいは子供用ボディ等各種のものが人体に合わせたかたちで使用されている。これらのボディは、従来から針金或いは紙型で人体に合わせで型取られたボディ本体を形成したもの、或いは石膏や発泡樹脂でボティ本体が形成されたものが知られている。石膏や発泡樹脂のボティ本体は、そのままでは使用できないので、表面に織布或いは化粧紙等を貼着して表層形成され、人体の上半身と類似した形状に形成されていた。
【０００４】
【発明が解決しようとする課題】
しかしながら、前記従来の針金或いは紙型のボディ本体は、軽量であるが嵩張り、大量の保管には場所を取った。また、素材が紙であることから破損しやすかった。石膏により製造されるボディは、頑丈であるが嵩張り、大量の保管には場所を取り、しかも石膏のボディは重量があるので、移動や運搬が容易でなかった。また、石膏のボディは、型取り、表層作業と、製作に手間を要し、必然的に高価になるとう問題があった。
【０００５】
更に、前記発泡樹脂で形成されたボディ本体は、軽量で有ることから持ち運びは容易であるが、前記同様嵩張り、保管には場所をとり容易でなかった。また、前記同様、製作に手間を要し、高価であるという問題があった。
【０００６】
更に、石膏や発泡樹脂で製作されるボディは、表面に織布或いは化粧紙等を貼着しているので、一旦汚れると、その後の使用が困難になる場合あった。
【０００７】
本発明は、これらの問題を解決するためになされたものであり、移動、保管及び運搬が容易であり、しかも低価額でできるボディの提供を目的とする。
【０００８】
【課題を解決するための手段】
上記目的を達成するため、本発明に係る請求項１のボディは、【請求項１】 紳士服を展示・陳列するためのボディであって、
弾力性・屈曲性に富んだ硬質プラスチックシート或いは硬質の厚紙からなるボディ形成用パネル板を用いて、
該パネルのほぼ中央部に頭部装着穴７を穿設し、該頭部装着穴７を中心にして左右ほぼ対称に連結部１１，１１を介して円弧状に区切られかつ外側が円弧状に切欠れている一対の肩部２，２とし、前記頭部装着穴７の前後側で一対の肩部２，２の円弧状の曲面のほぼ頂部から前後に屈曲させて前側を下方に向けてやや傾斜して形設される胸部３とし、該胸部３の反対側を下方に屈曲してやや傾斜して形設されている背面部４とし、この胸部３の下部に帯状で、該胸部３の下部から両側に延びる胴部５からなる形枠をボディ切込線６で一体に形成すると共に前記ボディ形枠の外輪郭線を形取って前記パネル板から抜き取ってボディ形枠を形成し、
該ボディ形枠の前記胴部５の両端部に前記背面部４側を屈曲させたとき固定する掛止片９と、前記胴部３下部に該掛止片９と対向配置に掛止穴１０，１０，１０を設けた差し込み係止型の固定具を配置すると共に、前記胸部３と前記背面部４の前記肩部２近傍には前記肩部２に対応する位置にホック８からなる固定具が形設され、
前記頭部装着穴７を中心に肩部２を前後に屈曲して前記胸部と前記背面部が対向するように肩部、胸部、背面部、胴部を形設し、前記胴部５の掛止片９を背面部４側の掛止穴１０，に係止させると共に、肩部２の一対のホックと、胸部３と背面部４のホツクを固定させて前記パネル板の弾力性・屈曲性で前記各部を一体に形成することを特徴とする紳士服用ボディ。
【０００９】
請求項２に係る婦人用ボディは、婦人服を展示・陳列するためのボディであって、
弾力性・屈曲性に富んだ硬質プラスチックシート或いは硬質の厚紙からなるボディ形成用パネル板を用いて、
該パネルのほぼ中央部に頭部装着穴２７を穿設し、該頭部装着穴２７を中心にして左右ほぼ対称に連結部を介して円弧状に区切られかつ外側に円弧状に切欠れ、連結部３０，３４を介して一段目肩部２２と二段目肩部３３から構成されている一対の肩部２２，２２とし、前記頭部装着穴２７の前後側で一対の肩部２２，２２の円弧状の曲面のほぼ頂部から前後に屈曲させて前側を下方に向けてやや傾斜して形設される胸部２３とし、該胸部２３の反対側を下方に屈曲してやや傾斜して形設されている背面部２４とし、この胸部２３の下部に二分割された胴部２５からなる形枠をボディ切込線２６で一体に形成すると共に前記ボディ形枠の外輪郭線を形取って前記パネル板から抜き取ってボディ形枠を形成し、
該ボディ形枠の前記胴部２５の両端部に前記背面部２４側を屈曲させたとき固定するホツク３５と、前記胴部２３下部に背面部２４と対向配置にホック３５を配置すると共に、前記胸部２３と前記背面部２４の前記肩部２２近傍には前記肩部２に対応する位置にホック３５からなる固定具が形設され、
前記頭部装着穴２７を中心に肩部２２を前後に屈曲して前記胸部と前記背面部が対向するように肩部、胸部、背面部、胴部を形設し、前記胴部５のホック３５を背面部４側のホック３５に係止させると共に、肩部２の一対のホック３５と、胸部３と背面部４のホツク３５を固定させて前記パネル板の弾力性・屈曲性で前記各部を一体に形成することを特徴とする婦人服用ボディ。
【００１０】
請求項４に係る子供用ボディは、子供服を展示・陳列するためのボディであって、
弾力性・屈曲性に富んだ硬質プラスチックシート或いは硬質の厚紙からなるボディ形成用パネル板を用いて、
該パネルのほぼ中央部に頭部装着穴７を穿設し、該頭部装着穴７を中心にして左右ほぼ対称に連結部１１，１１を介して円弧状に区切られかつ外側が円弧状に切欠れている一対の肩部２，２とし、前記頭部装着穴７の前後側で一対の肩部２，２の円弧状の曲面のほぼ頂部から前後に屈曲させて前側を下方に向けてやや傾斜して形設される胸部３とし、該胸部３の反対側を下方に屈曲してやや傾斜して形設されている背面部４とし、この胸部３の下部に帯状で、該胸部３の下部から両側に延びる胴部５からなる形枠をボディ切込線６で一体に形成すると共に前記ボディ形枠の外輪郭線を形取って前記パネル板から抜き取ってボディ形枠を形成し、
該ボディ形枠の前記胴部５の両端部に前記背面部４側を屈曲させたとき固定する掛止片Ｂ１，Ｄ１と、前記胴部３下部に該掛止片Ｂ１，Ｄ１と対向配置に掛止穴Ｂ２，Ｄ２を設けた差し込み係止型の固定具を配置すると共に、前記胸部３と前記背面部４の前記肩部２近傍には前記肩部２に対応する位置にホックＫ１，Ｋ２，Ｊ1，Ｊ２，Ｈ1，Ｈ２，Ｇ1，Ｇ２からなる固定具が形設され、
前記頭部装着穴７を中心に肩部２を前後に屈曲して前記胸部と前記背面部が対向するように肩部、胸部、背面部、胴部を形設し、前記胴部５の掛止片９を背面部４側の掛止穴１０，に係止させると共に、肩部２の一対のホックＫ１，Ｊ1，Ｈ1，Ｇ1と、胸部３と背面部４のホツクＫ２，Ｊ２，Ｈ２，Ｇ２を固定させて前記パネル板の弾力性・屈曲性で前記各部を一体に形成することを特徴とする子供服用ボディ。
【００１３】
請求項１〜５によれば、ボディ形成用パネル板は、弾力性・屈曲性に富んだ板材を用いているので、ボディを軽量にすることができる。また、組立て前は、パネル板状なので積み重ねができ、保管のスペースが大幅に削減できる。更に、肩部、胸部、背面部、胴部からなる形枠型の各部が一体に形成され、パネル板が弾力性・屈曲性を備えているので、組立てても弾力で型崩れがなく、かつ組立ても容易である。また、搬送はボディがパネル板状をしているので、積み重ねた状態で可能となり、移動・搬送が極めて容易になる。さらにまた、弾力性・屈曲性に富んだ板材を素材としているので、切込み線が容易に形成することができ、簡単に組み立て又は分解ができ、取り扱いが容易である。
【００１４】
また、ボディの各片が１枚のボディ形成用パネル板で一体形成されているので、保管・管理が容易であると共に、構成部分が紛失する恐れがない。
【００１５】
更に、ボディ形成用パネル板は、硬質プラスチックシート或いは厚紙を使用するので、軽く、かつ廉価である。
【００１６】
更にまた、紳士用、女性用或いは子供用と切り込み線の付け方で、型を自由に変更することができる。
【００１７】
【発明の実施の形態】
以下、本発明の実施の形態を図面に基づいて説明する。
【００１８】
（実施の形態１）図１から図５は本発明に係わる紳士用ボディの一実施の形態を示すものである。図１は紳士用ボディの平面図、図２は紳士用ボディを組立てた状態の前面側の斜視図、図３は同背面側の斜視図、図４は紳士用ボディの組立て手順を示す斜視図である。
【００１９】
図１に示すように、ボディ形成用パネル板１は、頭部装着穴７を中心にして左右ほぼ対称に肩部２，２と、胸部３と背面部４並びに胴部５からなる紳士用ボディ形枠型を形成し、この各部をボディ切込線６で区切って形成する。更にこのボディ全体の輪郭を前記紳士用ボディ切込線６で形取って、前記紳士用ボディを形成する。
【００２０】
ここで肩部２，２は、頭部装着穴７の左右に連結部１１，１１を残して円弧状にボディ切込線６で区切られ、かつ外側が円弧状に切欠れている。また、胸部３は前記一対の肩部２，２の円弧状の曲面のほぼ頂部から下方に向けてやや傾斜して形設されている。この胸部３の下部には帯状で、胸部３の下部から両側に延びる胴部５が形成されている。
【００２１】
さらに背面部４は、前記胸部３と同様一対の肩部２，２の円弧状の曲面のほぼ頂部から下方に向けてやや傾斜して形成され、下部に前記胴部５を係止する係止部４ａが形設されている。
【００２２】
前記パネル板１は、図４に示すように、頭部装着穴７と一対の肩部２，２を中心軸にして胸部３の下部と背面部４の下部とを前後に屈曲させて、両者を対向させるように胴部５を形成する。更に胴部５の両端部を背面部４側に屈曲させ、胴部５に形設されている掛止片９，９，９を背面部４側に対向配置されている掛止穴１０，１０，１０に掛止する構成になっている。この場合、図１において、掛止片９，９，９と掛止穴１０，１０，１０は差込み係止型の固定具で、符号Ａ１とＡ２，Ｂ１とＢ２，Ｃ１とＣ２，Ｄ１とＤ２，Ｅ１とＥ２，Ｆ１とＦ２のそれぞれを対向する位置になるように形成され、固定せる形態になっている。
【００２３】
前記パネル板にて形成された紳士用ボディ１は、図２及び３に示すように、頭部装着穴７を中心軸にしての前後方向に前記胸部３と前記背面部４を屈曲すると、頭部装着穴７の左右にいちする連結部１１を介して肩部２，２が形設される。肩部２には固定具例えばホック８（Ｇ１，Ｈ１，Ｊ１，Ｋ１）が形設されている。また、胸部３と背面部４には肩部に対応する前記固定具例えばホック８（Ｇ２，Ｈ２，Ｊ２，Ｋ２）が形設されている。ここで肩部２，２は、突出する形になっているので、左右に取着されている固定具例えばホック８（Ｋ１とＫ２，Ｊ１とＪ２，Ｈ１とＨ２，Ｇ１とＧ２）にて胸部３側と背面部４側に固定されて、肩の滑らかた下がりを形成する。
【００２４】
また、胸部３の下部には水平方向に胴部５が延設され、胴部５の両端には複数の掛止片９，９，９（Ｃ１，Ｆ１，Ａ１，Ｄ１，Ｅ１，Ｆ１）が形設されている。掛止片９，９，９は、外れないように向きを変えて形成されている。
【００２５】
一方、背面部４の下部には、上記掛止片９，９，９に対向する位置に掛止溝１０，１０，１０（Ｃ２，Ｆ２，Ａ２，Ｄ２，Ｅ２，Ｆ２）が形設されている。胴部５の両端を背面部４側に屈曲させ、係止部４ａの掛止穴１０，１０，１０に掛止片９，９，９を挿着して掛止する。
【００２６】
ボディ形成用パネル板１は、弾力性・屈曲性に富んだ素材にて形成され、本実施の形態では厚さが０．３から２ｍｍ程度の硬質プラスチックシート或いは硬質な厚手の用紙にて形成している。
【００２７】
次に、上記構成のボディ形成板１にて紳士用ボディを組み立てる手順について説明する。
【００２８】
まず、図１に示すボディ形成用パネル板１に紳士用ボディに必要な各部に区切る切込み線６を形設する。紳士用ボディ部分を形成し、頭部装着穴７を中心軸にして胸部３と背面部４とを前後に折曲して、図４に示すように、両者を対向させる。更に胴部５を背面部４側に折曲させ、胴部５の掛止片９，９，９を背面部４側の係止部４ａの掛止穴１０，１０，１０に掛止する。この場合、図１において符号Ａ１とＡ２，Ｂ１とＢ２，Ｃ１とＣ２，Ｄ１とＤ２，Ｅ１とＥ２，Ｆ１とＦ２のそれぞれを組み合わされる。
【００２９】
次に、図２に示すように、肩部２，２を連結部１１，１１を介してやや下方に屈曲しつつ前端部２ａを胸部３の内側に重合すると共に後端部２ｂを背面部４の内側に重合して、それぞれの重合部を、図２及び図３に示すように、ホック８にて固定する。この場合は、図１において符号Ｇ１とＧ２、Ｈ１とＨ２、Ｊ１とＪ２、Ｋ１とＫ２それぞれの固定穴を組み合わされる。
【００３０】
このようにして組み立て完成したボディはホック８及び掛止片９を掛止穴１０を外すことにより自動的に分解し、元のパネル板に戻すことができる。
【００３１】
本発明の実施の形態によれば、紳士用ボディを形成する各部がボディ形成用パネル板１枚で一体形成されているので、部品点数が１個であり、軽量である。また、各部が一体になっているので、組立てが容易に行うことができる。また、部品点数が１個であることから、分解・組立てが容易にできるので、部品管理、移動、保管や運搬が容易になる。
【００３２】
（実施の形態２）図５から図８は本発明に係わる婦人用ボディの一実施の形態を示すものである。図５は婦人用ボディのボディ形成用パネル板の平面図、図６は婦人用ボディの前面を示す斜視図、図７は同背面部側を示す斜視図、図８は婦人用ボディの組立て手順を示す斜視図である。
【００３３】
この婦人用ボディは、図５示すように、前記ボディ形成用パネル板１に、頭部装着穴２７を中心にして左右ほぼ対称に一対の肩部３３，３３を形成し、該肩部３３，３３から胸部２５と背面部２４とを設ける。前記肩部３３，３３、前記胸部２３、前記背面部２４，胴部２５からなる婦人用ボディ形枠型を切込線２６で区画し、前記頭部装着穴２７と肩部３３を中心軸しして屈曲して前記胴部２５で前記胸部２３と前記背面部２４とを係止して一体形成し、前記胸部２５と前記背面部２４を固定具で固定した構造である。
【００３４】
ここで肩部３３，３３は、頭部装着穴２７の左右に連結部３３，３０を介して連結されている。この肩部３３，３３は、上下方向からの切込み線３２で１段目肩部２２と２段目肩部３３に形成され、この１段目肩部２２と２段目肩部３３は連結部３４，３４で連結されている。この１段目肩部２２と２段目肩部３３との間の背面側が固定具例えばホック３５にて固定されている。これによって、女性用ボディにおける柔らかな肩線を演出している。
【００３５】
また、頭部装着穴７の前後には、前記肩部３３，３３から胸部２３及び背面部２４が一体に連設されている。胸部２３は前記一対の肩部３３，３３の屈曲した切込み線１６から逆屈曲した切込み線１６でほぼお椀状に形成されている。背面部２４は、前記肩部３３，３３の湾曲した切込み線１６から傾斜したほぼ台形に形成されている。この背面部２４の上端部と肩部３３，３３の１段目肩部２２とは重合され、重合する部分２２ａが掛止片２８と掛止穴２９とにより固定されている。
【００３６】
更に、胸部２３の下方には連結部２７を残して切込み線１６で区切られた二分割された胴部２５，２５が形設されている。この胴部２５，２５は胸部２３から横方向に突出し、縦方向に２分離され、胸部２３との境目が切込み線３９で区切られている。切込み線３９で女性用ボディ特有の胸の膨らみを自然に演出することができる。また、２分離された胴部２５，２５の下端相互間を突合せ重合し、重合部分をホック３６にて固定する。これによって女性用ボディ特有の胴部の絞り込みを自然に演出することができる。更に胴部２５，２５のそれぞれを背面側に湾曲した端部はホック４０で固定されている。これによって女性用ボディ特有の胴部の絞り込みを自然に演出することができる。
【００３７】
このボディを形成するボディ形成板３１は、厚さが前記実施の形態１及び２と同様に０．３から２ｍｍ程度のプラスチックシートから成り、図９の縦長の平面図に示すように、略中央部に頭部装着穴２７が開口され、頭部装着穴２７の左右に１段目肩部及び２段目肩部３３が切込み線２６，３２により形設され一部の連結部３０，３４を介して曲折自在に連設されている。
【００３８】
また、頭部装着穴２７の下方には背面部２４が連設され、背面部２４には掛止片２８（Ｊ１１１）が形成され、掛止片２８に対応する１段目肩部２２側にその相互間を掛止する細長い掛止穴２９（Ｊ１１２）が開口している。
【００３９】
一方、頭部装着穴２７の上方には胸部２３が連設されており、胸部２３の上方には胴部２５が切込線３８により形設され、連結部３７を介して曲折自在に連設され、かつ縦方向に分離されている。更に胴部２５の基端部（連結部３７、３７の内側）にはボディ形成時に胸部を盛り上がらせる切込線３９が施されている。そしてこのボディ形成板３１の各部にはボディとして組み立てるために後述の符号にて示すホック用固定穴が形設されている。またボディを構成する各部分は１枚のパネル板にて一体に形成されている。
【００４０】
次に、上記構成のボディ形成板により婦人用ボディを組み立てる手順について説明する。
【００４１】
まず、図５に示すボディ形成板３１の頭部装着穴２７を中心にして胸部２３と背面部２４とを前後方向に屈曲して、図８に示すように、両者を対向させる。その後、図６に示すように、胴部２５，２５の前方下端部を重合してホック３６（Ａ１１１とＡ１１２）にて固定する。つぎに、胴部２５，２５を背面側に湾曲させ、その端部を重合した下端部及び上端部を、図７に示すように、ホック４０（Ｂ１１１とＢ１１２、Ｃ１１１とＣ１１２）にて固定する。
【００４２】
次に、胴部２５の背面に対して背面部２４を重合してその部分を２カ所のホック４１（Ｄ１１１とＤ１１２、Ｅ１１１とＥ１１２）にて固定する。
【００４３】
このように胴部２５と背面部２４とを固定した後に、１段目肩部２２の端部２２ａを背面部２４の内側に重合して掛止片２８（Ｈ１１１及びＪ１１１）それぞれを掛止穴２９（Ｈ１１２及びＪ１１２）のそれぞれに掛止し、１段目と２段目の肩部２２，３３の相互間をホック３５（Ｋ１１１とＫ１１２、Ｍ１１１とＭ１１２）にて固定する。
【００４４】
これにより、肩の滑らかなラインを含め、ウエストを絞った形の婦人用ボディの組み立てが完成する。
【００４５】
以上のように完成した女性用ボディは、各ホック及び掛止片を外すことにより、自然に分解して元のパネル板に戻すことができる。
【００４６】
本発明実施の形態によれば前記実施の形態１と同様な作用効果が得られる。
【００４７】
（実施の形態３）図９から図１１は本発明の一実施の形態に係る子供用ボディである。図９は子供用ボディの平面図、図１０は子供用ボディの前面を示す斜視図、図１１は同背面を示す斜視図である。
【００４８】
図９に示すように、ボディ形成用パネル板１は、頭部装着穴７を中心にして左右ほぼ対称に一対の肩部２，２と、胸部３、背面部４、胴部５からなる形枠型を形成し、この各部をボディ切込線６で区切って形成する。更にこのボディ全体の輪郭を前記切込線６で形取って形成する。肩部２，２は、頭部装着穴７の左右に連結部１１を残して円弧状にボディ切込線６で切断され、かつ内側に円弧状に切り欠かれている。また、胸部３は前記肩部２，２の円弧状の曲面の頂部から下方に向けてやや傾斜して形成されている。この胸部３の下端部には幅広で、胸部３の両側に延びる胴部５が形成されている。さらに背面部４は、前記胸部３と同様肩部２，２の円弧状の曲面の頂部から下方に向けてやや傾斜して形成され、下端部に前記胴部５を係止する係止部４ａが設けられている。
【００４９】
前記パネル板１は、図９に示すように、頭部装着穴７と一対の肩部２，２を中心軸にして胸部３の下部と背面部４の下部とを前後に屈曲させて、両者を対向させるように胴部５を形成する。更に胴部５の両端部を背面部４側に屈曲させ、胴部５に形設されている掛止片９，９を背面部４側に対向配置されている掛止穴１０，１０に掛止する構成になっている。この場合、図１において、掛止片９，９と掛止穴１０，１０は差込み係止型の固定具で、符号Ｂ１とＢ２，Ｃ１とＣ２，Ｄ１とＤ２，Ｅ１とＥ２のそれぞれを対向する位置になるように形成され、固定せる形態になっている。
【００５０】
前記パネル板にて形成されたボディ１は、図１０及び１１に示すように、頭部装着穴７を開口させ、この頭部装着穴７の前後方向に前記胸部３と前記背面部４を屈曲すると、頭部装着穴７の左右に連結部１１を介して肩部２，２が形設される。肩部２，２は、左右に取着されているホック８にて胸部３側と背面部４側に固定されて、肩の滑らかた下がりを形成する。また、胸部３の下端部には水平方向の胴部５が延設されていて、胴部５には複数の掛止穴１０，１０が設けられている。一方、背面部４の下端部には、図１並びに図３に示すように、上記掛止穴１０，１０に対向する位置に掛止片９，９が設けられており、胴部５を背面部４側に湾曲させて掛止片９，９を掛止穴１０，１０に掛止する構成になっている。
【００５１】
前記ボディ形成用パネル板に、頭部装着穴を中心にして左右ほぼ対称に肩部を形成し、該肩部から胸部と背面部を設けると共に、該胸部の下端部に帯状の胴部を形設し、前記肩部、前記胸部、前記背面部、前記胴部からなる形枠型を切込線で形成し、前記頭部装着穴と肩部を介して屈曲して前記胸部、前記背面部を一体形成し、前記前記胴部で前記胸部と前記背面部を固定したことを特徴とする請求項１記載の子供用のボディ。
【００５２】
子のように、子供用ボディは、前記実施の形態１の紳士用ボディに比べて小型に形成され、かつ胴部と背面部との掛止片及び掛止穴の数を減じたことを異にするものである。その他の構成は前記実施の形態１と同様であるので同一構成部分には同一符号を付してその説明を省略する。
【００５３】
本実施の形態によれば、このボディ形成板は、構成する各部をボディの形枠型に沿って湾曲させ、重合させた部分をホックあるいは掛止片にて固定することによりボディの形状に組み立てることが可能となり、分解して元通りの板状に戻すことも可能である。前記実施の形態１と同様な作用効果が得られる。
【００５４】
【発明の効果】
本発明によれば、ボディ形成板は１枚の板材から抜き取って形成されており部品の数が少なく、部品の紛失の恐れもなく、積み重ねることができるので保管のスペースが縮減でき、保管の管理が容易になると共に搬送も容易になる。
【００５５】
また積み重ねて保管したボディ形成板は必要に応じて簡単に組み立て、又は元通りに分解することができるので、取り扱いが容易である。
【００５６】
更に、ボディ形成板はプラスチックシートあるいは厚紙等にて形成されているので軽く、かつ廉価である。
【図面の簡単な説明】
【図１】本発明の実施の形態１に係る紳士用ボディを区画したパネル板の平面図。
【図２】紳士用ボディの前面を示す斜視図。
【図３】同背面を示す斜視図。
【図４】紳士用ボディの組み立て手順を示す図。
【図５】婦人用ボディを区画したパネル板の平面図。
【図６】婦人用ボディの前面を示す斜視図。
【図７】同背面を示す斜視図。
【図８】婦人用ボディの組み立て手順を示す図である。
【図９】子供用ボディを区画したパネル板の平面図。
【図１０】子供用ボディの前面を示す斜視図。
【図１１】同背面を示す斜視図。
【符号の説明】
１…ボディ形成用パネル板
２，２２…肩部
３，２３…胸部
４，２４…背部
５，２５…胴部
６，２６，３２…切込線
７，２７…頭部装着穴
８，３５，３６…ホック
９，２８…掛止片
１０，２９…掛止穴
１１…連結部
２１…子供用ボディ形成板
２２…１段目肩部
３０，３４…連結部
３１…婦人用ボディ形成板
３３…２段目肩部
【図１】
0003640919.tif 000002
【図２】
0003640919.tif 000003
【図３】
0003640919.tif 000004
【図４】
0003640919.tif 000005
【図５】
0003640919.tif 000006
【図６】
0003640919.tif 000007
【図７】
0003640919.tif 000008
【図８】
0003640919.tif 000009
【図９】
0003640919.tif 000010
【図１０】
0003640919.tif 000011
【図１１】
0003640919.tif 000012